(57)【特許請求の範囲】
【請求項１】
左右１対の側壁の上部に、前方開口部から、一方の側壁の内側におけるドア収容部に亘ってレールを設け、このレール内に、これに沿って移動可能な上下方向を向く走行吊支部材を配設するとともに、該走行吊支部材の下部にドアを吊支し、該ドアを左右方向に移動させることにより、前記前方開口部を開放、閉塞するようにした吊り戸式ドア装置において、
前記走行吊支部材の下端に設けた係止体を、前記ドアの上端部に形成した嵌合孔に挿脱可能として嵌合するとともに、前記ドアの前面に穿設した前後方向を向く挿入孔に、軸状の係止手段を、前記嵌合孔内において係止体の一部と係合することにより、ドアを係止体に保持する係合位置と、同じく係止体との係合を解除してドアを係止体より離脱可能とする係合解除位置との間を軸線回りに回動しうるように、ドアの前方より着脱可能に嵌合し、かつ前記係止手段に形成した前後方向を向く２つの挿通孔に、Ｕ字形のロックピンを、その先端部が、係止手段を前記係合位置まで回動させた状態において、前記係止体の直下に位置するように、前方より挿脱可能に挿入することにより、前記係止手段の回動を阻止してこれを係合位置に保持しうるようにしたことを特徴とする吊り戸式ドア装置。
【請求項２】
ロックピンに、挿通孔よりの抜け外れを防止する手段を設けた請求項１記載の吊り戸式ドア装置。
【請求項３】
係止体を前後方向を向く円筒形に形成し、この中空孔内において係止手段との係脱が行われるようにした請求項１または２記載の吊り戸式ドア装置。
【請求項４】
係止体を上下方向を向く軸状に形成し、この下端部に形成した前後方向を向く保持孔内において、係止手段との係脱が行われるようにした請求項１または２記載の吊り戸式ドア装置。
【請求項５】
ドアを平面視において前方に湾曲する円弧状をなすものとした請求項１〜４のいずれかに記載の吊り戸式ドア装置。
【発明の詳細な説明】
【０００１】
【発明の属する技術分野】
本発明は、例えばトイレ等に設置される吊り戸式ドア装置に係り、特に、非常時等において、ドアを外側より取外すことができるようにした吊り戸式ドア装置に関する。
【０００２】
【従来の技術】
この種のトイレの吊り戸式ドア装置の中には、左右１対の側壁の上部に、トイレ前方の開口部からドア収容部に亘って円弧状のレールを設け、このレールに、これに沿って移動可能な複数の走行吊支部材を係止するとともに、走行吊支部材の下部に円弧状をなす曲面ドアを吊支し、前記ドアを左右方向に移動させることにより、前方開口部を開閉するようにしたものがある。
【０００３】
【発明が解決しようとする課題】
例えば病院等のトイレにおいては、何らかの事情で使用者が内部よりドアを開けられなくなったときのために、ドアをトイレの外側より取外して開放しうるようにしておくことが望ましい。
【０００４】
しかし、上述のように、円弧状のドアの上端部が走行吊支部材を介してレールに吊支されている吊り戸式のものでは、ドアをトイレの外側より取外すのは難しい。
【０００５】
１つの方法として、ドアを、吊支部材に前後方向に移動可能に取付け、通常時は、ドアの前面側より吊支部材に向かって螺挿したボルトにより固定しておき、非常時においてボルトを取外すことにより、ドアの一側部を前方に移動させて強制的に開放することも考えられる。
しかし、この方法では、ボルトを回してドアと吊支部材との係合を外す必要があるので、ドアを開放するのに手間がかかり、緊急時の対応に遅れが生じることがある。
【０００６】
本発明は、上記問題に鑑みてなされたもので、非常時等において簡単な操作でドアを速やかに取外して開放することができ、しかも、平常時には、妄りに外れることがないようにした吊り戸式ドア装置を提供することを目的としている。
【０００７】
【課題を解決するための手段】
本発明によると、上記課題は、次のようにして解決される。
(１) 左右１対の側壁の上部に、前方開口部から、一方の側壁の内側におけるドア収容部に亘ってレールを設け、このレール内に、これに沿って移動可能な上下方向を向く走行吊支部材を配設するとともに、該走行吊支部材の下部にドアを吊支し、該ドアを左右方向に移動させることにより、前記前方開口部を開放、閉塞するようにした吊り戸式ドア装置において、前記走行吊支部材の下端に設けた係止体を、前記ドアの上端部に形成した嵌合孔に挿脱可能として嵌合するとともに、前記ドアの前面に穿設した前後方向を向く挿入孔に、軸状の係止手段を、前記嵌合孔内において係止体の一部と係合することにより、ドアを係止体に保持する係合位置と、同じく係止体との係合を解除してドアを係止体より離脱可能とする係合解除位置との間を軸線回りに回動しうるように、ドアの前方より着脱可能に嵌合し、かつ前記係止手段に形成した前後方向を向く２つの挿通孔に、Ｕ字形のロックピンを、その先端部が、係止手段を前記係合位置まで回動させた状態において、前記係止体の直下に位置するように、前方より挿脱可能に挿入することにより、前記係止手段の回動を阻止してこれを係合位置に保持しうるようにする。
【０００８】
(２) 上記(１)項において、ロックピンに、挿通孔よりの抜け外れを防止する手段を設ける。
【０００９】
(３) 上記(１)または(２)項において、係止体を前後方向を向く円筒形に形成し、この中空孔内において係止手段との係脱が行われるようにする。
【００１０】
(４) 上記(１)または(２)項において、係止体を上下方向を向く軸状に形成し、この下端部に形成した前後方向を向く保持孔内において、係止手段との係脱が行われるようにする。
【００１１】
(５) 上記(１)〜(４)項のいずれかにおいて、ドアを平面視において前方に湾曲する円弧状をなすものとする。
【００１２】
【発明の実施の形態】
図１は、本発明の第１の実施形態を、円弧状の曲面ドア(１)を備えるトイレに適用した例を示すトイレ前部の前方斜視図で、左右の側壁(２)(３)の前端同士の間には、開口部(４)が形成され、この開口部(４)の内方を、平面視において前方に湾曲する円弧状の曲面ドア(１)により閉じることにより、その内部にトイレブース(５)が形成される。
【００１３】
左右の側壁(２)(３)間の上端部には、開口部(４)において若干前方に膨出する平面視円弧状のガイドレール(６)が、開口部(４)の右端から、左方の側壁(２)の内面におけるドア収容部(2a)に亘って取付けられている。
ガイドレール(６)は、図２に示すように、下向きコ字形をなすとともに、下端に内向きの前後１対のローラ支持片(6a)を有する角筒状をなしている。
【００１４】
曲面ドア(１)の右側端には、図３に示すように、ドア(１)を閉じたとき右方の側壁(３)の前端開口部に弾性的に当接するゴム又はエラストマ樹脂等よりなる緩衝体(７)が取付けられている。
【００１５】
(８)は、曲面ドア(１)を常時開く方向に付勢する定荷重ばねである。
【００１６】
曲面ドア(１)は、その上端の左右両側部に、ドア(１)を閉じた状態において開口部(４)内に位置するようにして取付けた１対の走行吊支部材(９)(９)を、ガイドレール(６)により支持することにより、走行可能として吊支されている。
【００１７】
走行吊支部材(９)は、図３に拡大して示すように、ガイドレール(６)内をローラ支持片(6a)により支持されて走行可能な、４個のローラ(10)を備える走行装置(11)と、その中央部に下向きに固着された吊支ボルト(12)と、この吊支ボルト(12)の下端に高さ調節可能として螺合された係止体(13)とからなっている。(14)はロックナットである。
【００１８】
係止体(13)は、前後方向を向き、かつ後端に曲面ドア(１)の後面に当接可能な拡径鍔部(15a)を有する円筒状係止部(15)と、その上面に固着され、前部側の下端に設けた下向きの係止片(16a)を円筒状係止部(15)の中空孔(17)内に突入させた吊支ブロック(16)とからなり、この吊支ブロック(16)に上記吊支ボルト(12)の下端部が螺合されている。
なお、円筒状係止部(15)の中空孔(17)は、貫通しておらず、後端は盲蓋状となっている(図４参照)。
【００１９】
曲面ドア(１)の後面側上端部適所には、各係止体(13)と同形状をなして、円筒状係止部(15)を、挿脱可能に嵌合しうる嵌合孔(18)と、吊支ブロック(16)を挿脱可能として嵌合しうる嵌合溝(19)とが、互いに連通状として形成されている。
【００２０】
曲面ドア(１)の前面には、上記嵌合孔(18)と同軸をなして連通する挿入孔(20)が穿設され、この挿入孔(20)には、前述した係止体(13)の係止手段である係止ピン(21)の頭部側の軸状部(21a)を、回動可能に挿入しうるようになっている。
【００２１】
係止ピン(21)の後半部は、上記円筒状係止部(15)内において回動可能な角軸部(21b)となっており、その先端部上面には、上記吊支ブロック(16)の係止片(16a)と係脱可能な凹溝(22)が形成されている。
【００２２】
(23)は、係止ピン(21)の回り止め手段であるＵ字形のロックピンで、係止ピン(21)の頭部から軸状部(21a)の後端面まで貫設され、角軸部(21b)の両側面側に開口する２つの挿通孔(24)に着脱可能に挿入される。なお、挿入時においてロックピン(23)の先端部は、凹溝(22)よりも若干後方に位置するようになっている(図４参照).
【００２３】
ロックピン(23)は、図３の想像線で示すように、弾性変形可能なピアノ線等により、両挿通孔(24)間の間隔よりも外方に若干拡げるか、又は内方に狭めておくのがよい。このようにすると、挿通孔(24)に弾性変形させて挿入させた際、簡単に抜け外れる恐れがなくなる。
【００２４】
曲面ドア(１)をガイドレール(６)に吊支するには、次のような手順がとられる。
まず、図２に示すように、２個の走行吊支部材(９)のローラ(10)を、ガイドレール(６)内に、その開口端より挿入して係止体(13)を吊支する。
【００２５】
ついで、曲面ドア(１)を若干持ち上げるようにして、その後面の左右両側部に形成された嵌合孔(18)と嵌合溝(19)とに、各係止体(13)における円筒状係止部(15)と吊支ブロック(16)とを嵌合する。
この状態において、円筒状係止部(15)の前端部が嵌合孔(18)の前部内に位置するため、曲面ドア(１)が上下方向に移動するのが防止され、仮の吊支状態となる。
【００２６】
この状態で、曲面ドア(１)の前面の挿入孔(20)に、係止ピン(21)を、図２に示す位置からほぼ９０°いずれか一方に回動させ、凹溝(22)を左右いずれかの方向に向けてから挿入し、そののち、再度凹溝(22)が上向きとなる位置までほぼ９０°回動させる。
【００２７】
すると図４に示すように、凹溝(22)が円筒状係止部(15)内に突出している係止片(16a)と係合することにより、曲面ドア(１)は、走行吊支部材(９)に対して抜け外れるのが防止される。
【００２８】
最後に、ロックピン(23)を係止ピン(21)の挿通孔(24)に挿し込めば、図４に示すように、その先端部が係止片(16a)の直下に位置することとなり、係止ピン(21)の回動は阻止され、凹溝(22)と係止片(16a)との係合が外れて、曲面ドア(１)が落下するなどの恐れはなくなる。
【００２９】
一方、使用者がトレイブース(５)内より、ドア(１)を開放できない非常時においては、上述した逆の手順により、曲面ドア(１)をトレイブース(５)の外方より強制的に取外して開放することができる。
【００３０】
すなわち、左右いずれか一方(この際は、トレイブース内のロック位置と反対側)、例えば右側、又は両方のロックピン(23)を引き抜いて、いずれか一方又は両方の係止ピン(21)を９０°回動させ、走行吊支部材(９)と曲面ドア(１)との係合を外せば、曲面ドア(１)は前方へ移動可能となる。従って、例えばドア(１)の下端と床面との間の隙間にバールのようなものを挿入してドア(１)を前方にこじ開けるなどすれば、右側端の緩衝体(７)が変形させられて、ドア(１)を強制的に取り外すことができる。
【００３１】
なお、上述した第１の実施形態において、ロックピン(23)の抜け外れを防止する他の手段として、図５に示すようにしてもよい。
すなわち、ロックピン(23)における係止ピン(21)の軸状部(21a)の後端よりも若干後方に位置する部分に、外向きに屈曲する係止部(23a)を設けるとともに、係止ピン(21)側に、係止部(23a)が通過可能な楕円形の挿通孔(25)を形成する。
【００３２】
このようにすると、挿通孔(25)に挿入したロックピン(23)の両係止部(23a)が、軸状部(21a)の後端面より突出すると同時に外向きに開くため、簡単には外れなくなる。
なお、ロックピン(23)を強く前方に引張れば、両係止部(23a)が強制的に内向きに狭められるので、引き抜くことができる。
【００３３】
次に、図６及び図７を参照して、本発明の第２の実施形態について説明する。
この実施形態の走行吊支部材(29)は、上述と同様の走行装置（図示略）を上端部に備える吊支ボルト(12)の下端に、垂直をなす軸状係止体(30)を高さ調節可能に螺着して構成されている。
【００３４】
軸状係止体(30)の下端部には、前後方向を向くとともに、下端にスリット状の開口部(31a)を備える保持孔(31)が穿設されている。
曲面ドア(１)の左右の上端部には、上記軸状係止体(30)が着脱可能として嵌合される垂直有底の嵌合孔(32)と、それを挾む前後部に後記する係止ピン(34)挿入用の前後方向を向く挿入孔(33)とが、互いに連通状に形成されている。前部側の挿入孔(33)は、曲面ドア(１)の前面に開口され、また後部側の挿入孔(33)は、曲面ドア(１)の後面に開口せず、その直前までに止どめてある。
【００３５】
上記前後の挿入孔(33)には、係止ピン(34)における前後部の軸状部(34a)が回動可能に挿入され、挿入時において係止ピン(34)の中間部に形成された矩形断面をなす角軸部(34b)は、嵌合孔(32)内に位置するようになっている。
【００３６】
(35)は、係止ピン(34)の回り止め手段であるＵ字形のロックピンで、係止ピン(34)の頭部と前部側の軸状部(34a)に貫設され、角軸部(34b)の一側面に開口する２つの挿通孔(36)に着脱可能に挿入される。なお、挿入時において、ロックピン(35)の先端部は、角軸部(34b)の中間部付近まで突出するようになっている。
【００３７】
曲面ドア(１)をガイドレール(６)に吊支するには、まず係止ピン(34)を、その角軸部(34b)が図６及び図７の想像線で示すように縦向きとなるようにして挿入孔(33)に挿入したのち、曲面ドア(１)を持ち上げ、その嵌合孔(32)に走行吊支部材(29)の軸状係止体(30)を予め定めた所定の寸法だけ挿入する。
【００３８】
すると、図７の想像線で示すように、既に挿入されているロックピン(35)の角軸部(34b)は、軸状係止体(30)の下端の開口部(31a)を通して保持孔(31)内に位置する。
【００３９】
この状態で、係止ピン(34)を係止孔(36)が下位となる方向にほぼ９０°回動させると、図７の実線示のように、角軸部(34b)が保持孔(31)内において横向きに水平となることにより、開口部(31a)よりの脱落が防止され、曲面ドア(１)は走行吊支部材(29)に吊支される。
【００４０】
最後に、ロックピン(35)を係止ピン(34)の挿通孔(36)に挿し込めば、その先端部が軸状係止体(30)の直下に位置することにより、係止ピン(34)の回動が阻止される。従って、係止ピン(34)が妄りに回動して、角軸部(34b)と軸状係止体(30)との係合が外れ、曲面ドア(１)が落下するのが防止される。
【００４１】
一方、非常時に、閉じられた曲面ドア(１)を取外す必要が生じた際には、上述した逆の手順で行えばよい。
すなわち、ロックピン(35)を引き抜いて係止ピン(34)を９０°回動させれば、曲面ドア(１)と軸状係止体(30)との係合が外れ、曲面ドア(１)は落下するので、ガイドレール(６)とドア(１)の上端との隙間にレバー等を挿し込み、ドア(１)を前方にこじ開けるなどすれば強制的に取外すことができる。
【００４２】
なお、この第２の実施形態においても、ロックピン(35)の形状を図５に示すように屈曲させれば、簡単に抜け外れるのを防止しうる。
【００４３】
以上説明したように、上記第１及び第２の実施形態においては、いずれも係止ピン(21)(34)をほぼ９０°回動させるだけで、係止体(13)(30)と曲面ドア(１)との係合が解除され、ドア(１)を強制的に取外して開放しうるので、非常時の対応が迅速となる。
【００４４】
また、曲面ドア(１)を走行吊支部材(９)(29)に吊支する作業も容易に行うことができる。
【００４５】
本発明は、上記実施形態に限定されるものではない。
左右いずれか一方(例えばトイレブース内のロック位置と反対側)のみを、上述のような係止ピン(21)(34)による吊支形態とし、他方は、通常のねじ等を係止体(13)(30)に螺挿して吊支することもある。
【００４６】
【発明の効果】
請求項１記載の発明によれば、ドアの前方よりロックピンを引き抜いたのち、係止手段を若干回動させるだけの簡単な操作で、係止体とドアとの係合が外れ、ドアを前方より強制的に取外すことができるので、非常時の対応が迅速となる。
また、Ｕ字形のロックピンを単に係止手段の挿通孔に前方より挿入し、その先端部を係止体の直下に位置させるだけの簡単な操作で、係止手段が勝手に回動するのが防止されるので、使用中にドアが係止体より不意に外れる恐れはなくなる。
【００４７】
請求項２記載の発明によれば、ロックピンが簡単に抜け外れて、係止手段が勝手に回動してしまうという恐れはない。
【００４８】
請求項３記載の発明によれば、ドアの荷重は係止体により受け止められ、係止手段には直接作用しないので、係止手段の回動を容易に行うことができる。
【００４９】
請求項４記載の発明によれば、係止手段と係止体との係合を解除すれば、ドアを走行吊支部材より完全に分離させることが可能となるので、非常時においてドアの取外しが容易となる。
【００５０】
請求項５記載の発明によれば、開扉時においてドアは一方の側壁の内面に沿って入り込むので、大きな開口部が形成される。
【図面の簡単な説明】
【図１】  本発明の第１の実施形態を適用したトイレ前部の斜視図である。
【図２】  同じく、ガイドレール、走行吊支部材及び曲面ドアの一部の分解斜視図である。
【図３】  同じく、走行吊支部材にドアを吊支する手順を示す分解斜視図である。
【図４】  同じく、ドアの吊支時における係止体と係止ピンとの係合状態を示す要部の拡大縦断側面図である。
【図５】  同じく、ロックピンと係止ピンとの変形例を示す斜視図である。
【図６】  本発明の第２の実施形態における走行吊支部材とドアとの吊支手順を示す分解斜視図である。
【図７】  同じく、ドアの吊支時における係止体と係止ピンとの係合状態を示す要部の縦断正面図である。
【符号の説明】
(１)曲面ドア
(２)(３)側壁
(2a)ドア収容部
(４)開口部
(５)トイレブース
(６)ガイドレール
(6a)ローラ支持片
(７)緩衝体
(８)定荷重ばね
(９)(29)走行吊支部材
(10)ローラ
(11)走行装置
(12)吊支ボルト
(13)係止体
(14)ロックナット
(15)円筒状係止部
(15a)拡径鍔部
(16)吊支ブロック
(16a)係止片
(17)中空孔
(18)(32)嵌合孔
(19)嵌合溝
(20)(33)挿入孔
(21)(34)係止ピン(係止手段)
(21a)軸状部
(21b)(34b)角軸部
(22)凹溝
(23)(35)ロックピン
(23a)係止部
(24)(25)(36)挿通孔
(30)軸状係止体
(31)保持孔
(31a)開口部
【図１】
0004343331.tif 000002
【図２】
0004343331.tif 000003
【図３】
0004343331.tif 000004
【図４】
0004343331.tif 000005
【図５】
0004343331.tif 000006
【図６】
0004343331.tif 000007
【図７】
0004343331.tif 000008